(57)【要約】【課題】ロングアームでせん断する時、より省力化できる省力ロングアーム式ガーデン鋏みを提供する。【解決手段】二つの付勢アームと二つの連動歯車、配置ベース、連動ラック、延伸パイプ、コンロッド及びカトラリーからなり、二つの付勢アームの上段に、枢着孔が設けられ、上方において、クランク腕が延ばし出し、上端部に円弧状である連動歯状リムが設置され、連動歯車が、連動歯状リムと連動ラックに合わせて配置され、配置ベースの両側の下方に、下枢着点が設けられ、中段に、限位槽が設けられ、限位槽の両側に、それぞれ、上枢着点が設けられ、上方に固定部が設けられ、固定部の上段に、調整槽が設けられ、前記の下枢着点と上枢着点とに、ボスが嵌設され、連動ラックの両側にともに、歯部が設けられ、延伸パイプが、予めに設定された長さを有するパイプであり、コンロッドの下端が、連動ラックに連接される。【選択図】図２
0003134315.tif 000002
【実用新案登録請求の範囲】
【請求項１】
二つの付勢アームと二つの連動歯車、配置ベース、連動ラック、延伸パイプ、コンロッド及びカトラリーからなり、
二つの付勢アームの上段に、枢着孔が設けられ、上端部に、円弧状である連動歯状リムが設置され、連動歯車が、連動歯状リムと連動ラックに合わせて設置され、配置ベースの両側の下方に、下枢着点が設けられ、中段の両側に、それぞれ、上枢着点が設けられ、上方に、固定部が設けられ、連動ラックの両側にともに、歯部が設けられ、延伸パイプが、長いパイプであり、コンロッドの下端が、連動ラックに連接され、コンロッドの上端が、カトラリーに結合され、
上記の構造により、二つの付勢アームが、それぞれ、枢着孔により、配置ベースの二つの下枢着点に設置され、二つの連動歯車が、配置ベースの二つの上枢着点に設置され、二つの連動歯車が、それぞれ、付勢アームの連動歯状リムに噛合い、連動ラックの上方に、結合コンロッドが位置し、連動ラックが、配置ベース内の二つの連動歯車同士の間に設置され、連動ラックが、歯部により、連動歯車と噛合い、延伸パイプの下端が、配置ベースの固定部に結合され、結合コンロッドが、延伸パイプ内を通して、延伸パイプの上端が、延伸パイプの上端に位置するカトラリーに結合され、配置ベースが螺合されることにより、その内部の部材が位置付けられる、
ことを特徴とする省力ロングアーム式ガーデン鋏み。
【請求項２】
二つの付勢アームに、上方へクランク腕が延ばし、また、その上端部に、円弧状の連動歯状リムが設置されることを特徴とする請求項１に記載の省力ロングアーム式ガーデン鋏み。
【請求項３】
配置ベースにおいて、二つの下枢着点を円心とする円弧に、二つの内部へ突出するリブが設けられることを特徴とする請求項１に記載の省力ロングアーム式ガーデン鋏み。
【請求項４】
配置ベースの中段に、限位槽が設けられ、限位槽に、摺動可能的に連動ラックが収納されることを特徴とする請求項１に記載の省力ロングアーム式ガーデン鋏み。
【請求項５】
下枢着点と付勢アームの枢着孔に、ボスが嵌設されることを特徴とする請求項１に記載の省力ロングアーム式ガーデン鋏み。
【請求項６】
上枢着点と連動歯車に、ボスが嵌設されることを特徴とする請求項１に記載の省力ロングアーム式ガーデン鋏み。
【請求項７】
配置ベースの固定部に、調整槽が設けられ、延伸パイプの下段位置に、ネジ穴が設けられ、ネジ穴と固定ネジにより、延伸パイプの下端が、配置ベースの固定部に結合され、ネジ穴が、調整槽に位置し、固定ネジが、配置ベースの調整槽を通して延伸パイプのネジ穴に螺着されることを特徴とする請求項１に記載の省力ロングアーム式ガーデン鋏み。
【請求項８】
コンロッドの下端が、連動ラックに連接され、連動ラックと同時に垂直的に軸方向に移動し、また、ラック上の独立の平面軸方向に回転するように連動され、また、連動ラックとともに、垂直的に軸方向に位置することを特徴とする請求項１に記載の省力ロングアーム式ガーデン鋏み。
【考案の詳細な説明】
【技術分野】
【０００１】
本考案は、せん断するための省力ロングアーム式ガーデン鋏みに関し、特に、てこの原理とギア連動とを利用し、ロングアームと省力を両立してせん断できるものに関する。
【背景技術】
【０００２】
ガーデンの仕事に、数多い道具が利用され、その中、ガーデン鋏みは、木や草を整理することに利用され、木が高く成長すると、その枝が、手では直接に届かない、より高い空に位置するため、ロングアーム式のガーデン鋏みが必要とし、これにより、高い空に位置する枝を切れるが、枝が太くて硬いため、また、一般のロングアーム式ガーデン鋏みが、単純に対向してせん断するため、省力の効果が得られなく、枝をせん断する時、膨大な力が必要し、また、一般程度の枝さえせん断できなく、そのため、木を登るや梯子を利用して、高い位置で、省力鋏みや剪刀やのこぎりを利用して、枝を裁断することにより、ロングアーム鋏みでせん断できない枝をせん断する。
【考案の開示】
【考案が解決しようとする課題】
【０００３】
本考案の目的は、二つの付勢アームの長さで、梃子原理により、力を増大し、また、歯状リムを連動して、連動歯車に対して生成したねじりの２次増力により、ロングアームでせん断する時、より省力化でき、また、そのカトラリーのせん断方向と付勢アームの作動方向は、固定ネジにより、延伸パイプとカトラリーとが転動されてカトラリーの方向が変化することにより、変化されるから、付勢アームの操作がより便利になり、また、カトラリーがより優れた角度でせん断できる省力ロングアーム式ガーデン鋏みを提供する。
【課題を解決するための手段】
【０００４】
請求項１の考案は、二つの付勢アームと二つの連動歯車、配置ベース、連動ラック、延伸パイプ、コンロッド及びカトラリーからなり、二つの付勢アームの上段に、枢着孔が設けられ、上端部に、円弧状である連動歯状リムが設置され、連動歯車が、連動歯状リムと連動ラックに合わせて設置され、配置ベースの両側の下方に、下枢着点が設けられ、中段の両側に、それぞれ、上枢着点が設けられ、上方に、固定部が設けられ、連動ラックの両側にともに、歯部が設けられ、延伸パイプが、長いパイプであり、コンロッドの下端が、連動ラックに連接され、コンロッドの上端が、カトラリーに結合され、上記の構造により、二つの付勢アームが、それぞれ、枢着孔により、配置ベースの二つの下枢着点に設置され、二つの連動歯車が、配置ベースの二つの上枢着点に設置され、二つの連動歯車が、それぞれ、付勢アームの連動歯状リムに噛合い、連動ラックの上方に、結合コンロッドが位置し、連動ラックが、配置ベース内の二つの連動歯車同士の間に設置され、連動ラックが、歯部により、連動歯車と噛合い、延伸パイプの下端が、配置ベースの固定部に結合され、結合コンロッドが、延伸パイプ内を通して、延伸パイプの上端が、延伸パイプの上端に位置するカトラリーに結合され、配置ベースが螺合されることにより、その内部の部材が位置付けられる、ことを特徴とする省力ロングアーム式ガーデン鋏みである。
【０００５】
請求項２の考案は、二つの付勢アームに、上方へクランク腕が延ばし、また、その上端部に、円弧状の連動歯状リムが設置されることを特徴とする請求項１に記載の省力ロングアーム式ガーデン鋏みである。
【０００６】
請求項３の考案は、配置ベースにおいて、二つの下枢着点を円心とする円弧に、二つの内部へ突出するリブが設けられることを特徴とする請求項１に記載の省力ロングアーム式ガーデン鋏みである。
【０００７】
請求項４の考案は、配置ベースの中段に、限位槽が設けられ、限位槽に、摺動可能的に連動ラックが収納されることを特徴とする請求項１に記載の省力ロングアーム式ガーデン鋏みである。
【０００８】
請求項５の考案は、下枢着点と付勢アームの枢着孔に、ボスが嵌設されることを特徴とする請求項１に記載の省力ロングアーム式ガーデン鋏みである。
【０００９】
請求項６の考案は、上枢着点と連動歯車に、ボスが嵌設されることを特徴とする請求項１に記載の省力ロングアーム式ガーデン鋏みである。
【００１０】
請求項７の考案は、配置ベースの固定部に、調整槽が設けられ、延伸パイプの下段位置に、ネジ穴が設けられ、ネジ穴と固定ネジにより、延伸パイプの下端が、配置ベースの固定部に結合され、ネジ穴が、調整槽に位置し、固定ネジが、配置ベースの調整槽を通して延伸パイプのネジ穴に螺着されることを特徴とする請求項１に記載の省力ロングアーム式ガーデン鋏みである。
【００１１】
請求項８の考案は、コンロッドの下端が、連動ラックに連接され、連動ラックと同時に垂直的に軸方向に移動し、また、ラック上の独立の平面軸方向に回転するように連動され、また、連動ラックとともに、垂直的に軸方向に位置することを特徴とする請求項１に記載の省力ロングアーム式ガーデン鋏みである。
【考案を実施するための最良の形態】
【００１２】
図1と2を参照しながら、二つの付勢アーム10と二つの連動歯車20、配置ベース30、連動ラック40、延伸パイプ50、固定ネジ60、コンロッド70及びカトラリー80からなり、また、二つの付勢アーム10は、互いに対称し、便利に手で握る長さを有し、その上段に、枢着孔11が設けられ、上方に、クランク腕12が延ばし、また、上端部に、円弧状の連動歯状リム13が設置され、連動歯車20は、連動歯状リム13と連動ラック40に合わせ、そして、配置ベース30の両側の下方に下枢着点31が設けられ、下枢着点31を円心とする円弧において、内部へ突出するリブ32が設けられ、配置ベース30の中段に限位槽33が設けられ、限位槽33の両側にそれぞれ、上枢着点34が設けられ、また、その上方に固定部35が設けられ、固定部35の上段に調整槽36が設けられ、前述の下枢着点31と上枢着点34とに、ボス37が嵌設され、連動ラック40の両側に、ともに歯部が設けられ、延伸パイプ50が、予めに設定された長さを有するパイプで、その下段に、ネジ穴51が設けられ、固定ネジ60が、延伸パイプ50のネジ穴51に螺着され、コンロッド70の下端が、連動ラック40に連接され、また、連動ラック40と同時に垂直的に軸方向に移動し、また、連動ラック40の独立の平面軸方向に回転し、連動ラック40とともに垂直的に軸方向に位置し、カトラリー80は、固定刃部81と可動刃部82が含有され、固定刃部81が、延伸パイプ50に結合され、可動刃部82が、コンロッド70に、連動できるように結合され、また、枢着点により、固定刃部81に合わせてせん断力を生成する。
【００１３】
組み立てる時、図1と3を参照しながら、二つの付勢アーム10は、それぞれのボス37が嵌設された枢着孔11により、配置ベース30の二つの下枢着点31に設置され、付勢アーム10のクランク腕12は、リブ32に抵当し、二つの連動歯車20は、嵌設されたボス37により、それぞれ、配置ベース30の二つの上枢着点34に設置され、また、付勢アーム10の連動歯状リム13と噛合い、連動ラック40が、コンロッド70に結合されて、配置ベース30の限位槽33に設置され、また、歯部で連動歯車20と噛合い、延伸パイプ50の下端が、配置ベース30の固定部35に設置され、結合されたコンロッド70が、延伸パイプ50内を通して伸び出し、上端が、延伸パイプ50の上端に結合されたカトラリー80に結合され、これにより、カトラリー80の可動刃部82が連動され、配置ベース30が螺合されることにより、内部の部材が、それぞれ、位置付けられ、固定ネジ60が、配置ベース30の調整槽36を通して、延伸パイプ50のネジ穴51に螺着される。
【００１４】
せん断する時、図4のように、ユーザーが、両手で二つの付勢アーム10を握って、開く作動と締まる作動を繰り返すことにより、上端のカトラリー80が連動され、付勢アーム10が開かれると、端縁の連動歯状リム13に噛合う連動歯車20が転動し、連動歯車20が、連動ラック40の両側から、連動ラック40を上へ押し、同時に、コンロッド70が押し出され、これにより、可動刃部82が開き、また、付勢アーム10が締まられると、可動刃部82が、コンロッド70により、下へ引張られて拉せん断する作動を行い、そのため、二つの付勢アーム10の長さにより、梃子原理により、力が増大され、また、連動歯状リム13により、連動歯車20に対して生成したねじりの２次増力が得られる。
【００１５】
カトラリー80は、扁平状であり、付勢アーム10の操作方向と一致し、せん断する枝の方向が様々であるため、単一方向の扁平では、せん断するための力を印加し難い場合、固定ネジ60をルースすることと締まることにより、延伸パイプ50が、固定部35の調整槽36で転動でき、カトラリー80の方向と付勢アーム10の操作方向を変化することができ、より便利的に付勢アーム10を操作できる。
【００１６】
上記の構造によれば、次の利点が得られ、
１、ロングアームでせん断する時、二つの付勢アーム10の長さにより、梃子原理で増力できるだけでなく、連動歯状リム13が、連動歯車20に対して生成したねじりの２次増力が得られ、ロングアームでせん断する時、より省力化が実現され、
２、そのカトラリー80の扁平方向と付勢アーム10の操作方向は、固定ネジ60をルースすることと締まることにより、延伸パイプ50とカトラリー80が、転動され、カトラリー80の方向を変化できるため、より便利的に、付勢アーム10を操作でき、そして、カトラリー80が、より優れた角度でせん断できる。
【図面の簡単な説明】
【００１７】
【図１】本考案の立体組立図
【図２】本考案の立体分解図
【図３】本考案の組立正面図
【図４】本考案のせん断動作の概念図
【図５】本考案のカトラリーの方向を転動する時の立体図
【符号の説明】
【００１８】
10      付勢アーム
11      枢着孔
12      クランク腕
13      連動歯状リム
20      連動歯車
30      配置ベース
31      下枢着点
32      リブ
33      限位槽
34      上枢着点
35      固定部
36      調整槽
37      ボス
40      連動ラック
50      延伸パイプ
51      ネジ穴
60      固定ネジ
70      コンロッド
80      カトラリー
81      固定刃部
82      可動刃部
【図１】
0003134315.tif 000003
【図２】
0003134315.tif 000004
【図３】
0003134315.tif 000005
【図４】
0003134315.tif 000006
【図５】
0003134315.tif 000007